(57)【要約】【解決手段】底部ｃ１と該底部の相対する一方の土手部ｃ１ｂにヒンジ連結された相対する一方の側壁ｃ３と前記底部の相対するもう一方の土手部ｃ１ａにヒンジ連結された相対するもう一方の側壁ｃ２とからなる折り畳みコンテナー本体Ｃ’と、該折り畳みコンテナー本体に配設される中仕切り部材Ｐ１、Ｐ２とからなる中仕切り部材付き折り畳みコンテナーＣにおいて、前記後から倒されるもう一方の側壁に、中仕切り部材が載置される中仕切り部材載置突部ｃ５が突設されている弾性片ｃ４を形成したものである。【効果】中仕切り部材付き折り畳みコンテナーの折り畳み作業性が向上するとともに、箱型に組み立てられた折り畳みコンテナー本体の底部付近に位置する中仕切り部材の箱型に組み立てられた折り畳みコンテナーへの配設作業の作業性が向上する。【選択図】図６
2011121589.tif 000002
【特許請求の範囲】
【請求項１】
底部と該底部の相対する一方の土手部にヒンジ連結された相対する一方の側壁と前記底部の相対するもう一方の土手部にヒンジ連結された相対するもう一方の側壁とからなる折り畳みコンテナー本体と、該折り畳みコンテナー本体に配設される中仕切り部材とからなる中仕切り部材付き折り畳みコンテナーにおいて、前記側壁のいずれか一方の側壁に、中仕切り部材が載置される中仕切り部材載置突部が突設されている弾性片を形成したことを特徴とする中仕切り部材付き折り畳みコンテナー。                
【請求項２】
前記側壁のいずれか一方の側壁に、中仕切り部材上動防止突部を突設するとともに、前記中仕切り部材載置突部と前記中仕切り部材上動防止突部との間に、中仕切り部材が挿入される間隙が形成されていることを特徴とする請求項１に記載の中仕切り部材付き折り畳みコンテナー。
【請求項３】
前記弾性片に、前記中仕切り部材載置突部と該中仕切り部材載置突部の上方に位置する中仕切り部材上動防止突部が形成されていることを特徴とする請求項１又は請求項２に記載の中仕切り部材付き折り畳みコンテナー。
【請求項４】
中仕切り部材に挿入突片を形成するとともに、前記側壁のいずれか一方の側壁がヒンジ連結される底部の土手部に、前記挿入突片が挿入される垂直方向に延在する案内垂直凹部が形成されていることを特徴とする請求項１〜請求項３のいずれか一項に記載の中仕切り部材付き折り畳みコンテナー。
【発明の詳細な説明】
【技術分野】
【０００１】
本発明は、底部と、底部の相対する一方の土手部にヒンジ連結された相対する一方の側壁と、底部の相対するもう一方の土手部にヒンジ連結された相対するもう一方の側壁とからなり、箱型に組み立てられた状態から、相対する一方の側壁を、底部に重なるように倒し、次いで、もう一方の側壁を、先に倒された前記相対する一方の側壁に重なるように倒すことにより、折り畳むように構成された折り畳みコンテナーの内部を仕切る中仕切り部材が配設された中仕切り部材付き折り畳みコンテナーに関するものである。このような形式の折り畳みコンテナーは、所謂、内倒れ式折り畳みコンテナーと称されている。
【背景技術】
【０００２】
従来、上部枠の相対する一方の短辺枠に、上端部がヒンジ連結されているはね上げ側壁と、上部枠の相対するもう一方の長辺枠に、配設された上部分割側壁部と下部分割側壁部とからなる分割側壁とを有する折り畳みコンテナー内に、中仕切り部材を取り付けた折り畳みコンテナーが、特許文献１に開示されている。箱型に組み立てられた状態から、このような折り畳みコンテナーを折り畳むには、先ず最初に、はね上げ側壁を、略水平状態となるように上方にはね上げ、次いで、分割側壁を構成する上部分割側壁部と下部分割側壁部とが、互いに重なるように折り畳むことにより、折り畳みコンテナーを折り畳むように構成されており、このような形式の折り畳みコンテナーは、所謂、はね上げ側壁・分割側壁式折り畳みコンテナーと称されている。
【先行技術文献】
【特許文献】
【０００３】
【特許文献１】実開平０２−３１８２８号公報
【発明の概要】
【発明が解決しようとする課題】
【０００４】
上述した従来のはね上げ側壁・分割側壁式折り畳みコンテナーを折り畳む際には、先ず最初に、上下動自在な中仕切り部材を、上部枠付近まで上動させた後、分割側壁を構成する上部分割側壁部と下部分割側壁部とが、互いに重なるように折り畳むように構成されており、従って、はね上げ側壁・分割側壁式折り畳みコンテナーを折り畳む際には、中仕切り部材の上動工程と分割側壁の折り畳み工程との２工程が必要であり、はね上げ側壁・分割側壁式折り畳みコンテナーの折り畳み作業の作業性が悪いという問題があった。
【０００５】
また、上述した従来のはね上げ側壁・分割側壁式折り畳みコンテナーにおいては、上下動自在な中仕切り部板の上動は、上部枠に突設されたストッパにより、その上動が制限されるように構成されているので、中仕切り部板と上部枠に突設されたストッパとの距離が長く、従って、中仕切り部板が大きく上下動するという問題があった。
【０００６】
更に、中仕切り部材の上動を制限しているのは、ストッパだけであるので、中仕切り部材が、はね上げ側壁・分割側壁式折り畳みコンテナーから外れ易く、中仕切り部材が、紛失するという問題があった。
【０００７】
本発明の目的は、上述した従来の発明が有する課題を解決することにある。
【課題を解決するための手段】
【０００８】
本発明は、上述した目的を達成するために、底部と該底部の相対する一方の土手部にヒンジ連結された相対する一方の側壁と前記底部の相対するもう一方の土手部にヒンジ連結された相対するもう一方の側壁とからなる折り畳みコンテナー本体と、該折り畳みコンテナー本体に配設される中仕切り部材とからなる中仕切り部材付き折り畳みコンテナーにおいて、第１には、前記側壁のいずれか一方の側壁に、前記中仕切り部材が載置される中仕切り部材載置突部が突設されている弾性片を形成したものであり、第２には、前記側壁のいずれか一方の側壁に、中仕切り部材上動防止突部を突設するとともに、前記中仕切り部材載置突部と前記中仕切り部材上動防止突部との間に、中仕切り部材が挿入される間隙を形成したものであり、第３には、前記弾性片に、前記中仕切り部材載置突部と該中仕切り部材載置突部の上方に位置する中仕切り部材上動防止突部を突設したものであり、第４には、中仕切り部材に挿入突片を形成するとともに、前記側壁のいずれか一方がヒンジ連結される底部の土手部には、前記挿入突片が挿入される垂直方向に延在する案内垂直凹部を形成したものである。
【発明の効果】
【０００９】
前記側壁のいずれか一方の側壁に、中仕切り部材が載置される中仕切り部材載置突部が突設されている弾性片を形成したので、折り畳みコンテナーを折り畳む際に、弾性片を、外側に弾性変形させることにより、弾性片に形成された中仕切り部材載置突部を、中仕切り部材の下面から排出させて、中仕切り部材を、底部方向に下降させることができるので、中仕切り部材付き折り畳みコンテナーの折り畳み作業性が向上するとともに、箱型に組み立てられた折り畳みコンテナー本体の底部付近に位置する中仕切り部材の箱型に組み立てられた折り畳みコンテナーへの配設作業の作業性が向上する。
【００１０】
前記側壁のいずれか一方の側壁に、中仕切り部材上動防止突部を突設するとともに、前記中仕切り部材載置突部と前記中仕切り部材上動防止突部との間に、中仕切り部材が挿入される間隙を形成したので、中仕切り部材の上方への移動を確実に防止することができる。
【００１１】
弾性片に、中仕切り部材載置突部と該中仕切り部材載置突部の上方に位置する中仕切り部材上動防止突部を突設したので、弾性片を弾性変形させるだけで、中仕切り部材を、底部方向に下降させることができるとともに、中仕切り部材を、中仕切り部材載置突部と中仕切り部材上動防止突部との間に、挿着することができ、従って、箱型に組み立てられた折り畳みコンテナー本体への中仕切り部材の下降・上動作業の作業性が向上する。
【００１２】
中仕切り部材に挿入突片を形成するとともに、前記側壁のいずれか一方の側壁がヒンジ連結される底部の土手部には、前記挿入突片が挿入される垂直方向に延在する案内垂直凹部を形成したので、中仕切り部材を、安定した状態で上下動することができる。
【図面の簡単な説明】
【００１３】
【図１】図１は、本発明の中仕切り部材付き折り畳みコンテナーを構成する折り畳みコンテナー本体の斜視図である。
【図２】図２は、本発明の中仕切り部材付き折り畳みコンテナーを構成する折り畳みコンテナー本体の長側壁の部分拡大斜視図である。
【図３】図３は、同じく、本発明の中仕切り部材付き折り畳みコンテナーを構成する折り畳みコンテナー本体の長側壁の部分拡大斜視図である。
【図４】図４は、本発明の中仕切り部材付き折り畳みコンテナーの短側壁に沿った部分拡大垂直断面図である。
【図５】図５は、本発明の中仕切り部材付き折り畳みコンテナーを構成する中仕切り部材の斜視図である。
【図６】図６は、本発明の中仕切り部材付き折り畳みコンテナーの全体斜視図である。
【図７】図７は、図２と同様の本発明の中仕切り部材付き折り畳みコンテナーを構成する折り畳みコンテナー本体の長側壁の部分拡大斜視図である。
【図８】図８は、本発明の中仕切り部材付き折り畳みコンテナーの全体斜視図である。
【図９】図９は、本発明の別の実施例の中仕切り部材付き折り畳みコンテナーの折り畳みコンテナー本体の長側壁の部分拡大斜視図である。
【図１０】図１０は、同じく、本発明の別の実施例の中仕切り部材付き折り畳みコンテナーの折り畳みコンテナー本体の長側壁の部分拡大斜視図である。
【図１１】図１１は、同じく、本発明の別の実施例の中仕切り部材付き折り畳みコンテナーの部分拡大斜視図である。
【図１２】図１２は、本発明の別の実施例の中仕切り部材付き折り畳みコンテナーを構成する中仕切り部材の斜視図である。
【図１３】図１３は、本発明の別の実施例の中仕切り部材付き折り畳みコンテナーを構成する折り畳みコンテナー本体の斜視図である。
【図１４】図１４は、本発明の別の実施例の中仕切り部材付き折り畳みコンテナーの部分拡大斜視図である。
【実施例】
【００１４】
以下に、本発明の実施例について説明するが、本発明の趣旨を越えない限り、何ら本実施例に限定されるものではない。
【００１５】
図１において、Ｃは、中仕切り部材付き折り畳みコンテナーであり、中仕切り部材付き折り畳みコンテナーＣは、折り畳みコンテナー本体Ｃ’と後述する中仕切り部材とから構成されている。折り畳みコンテナー本体Ｃ’は、底部ｃ１と、底部ｃ１の相対する一方の土手部ｃ１ａにヒンジ連結された相対する長側壁ｃ２と、底部の相対するもう一方の土手部ｃ１ｂにヒンジ連結された相対する短側壁ｃ３とからなり、本実施例においては、長側壁ｃ２がヒンジ連結されている底部ｃ１の土手部ｃ１ａの高さが、短側壁ｃ３がヒンジ連結されている底部ｃ１の土手部ｃ１ｂの高さより高く構成されている。
【００１６】
箱型に組み立てられた状態の折り畳みコンテナー本体Ｃ’を、折り畳むには、先ず最初に、略垂直状態の短側壁ｃ３を、底部ｃ１に重なるように倒し、次いで、略垂直状態の長側壁ｃ２を、先に倒された短側壁ｃ３に重なるように倒すことにより、折り畳みコンテナー本体Ｃ’を折り畳むことができるように構成されている。また、折り畳みコンテナー本体Ｃ’を、箱型に組み立てるには、先ず最初に、長側壁ｃ２を、略垂直に立て、その後、短側壁ｃ３を、略垂直に立てることにより、箱型に組み立てることができるように構成されている。
【００１７】
また、図１及び図２に示されているように、相対する長側壁ｃ２の適当な高さ、例えば、中程には、複数の縦長の弾性片ｃ４が形成されている。長側壁ｃ２に、所定の間隔を置いて、一対の縦方向スリットｓ１を形成するとともに、一対の縦方向スリットｓ１の上端を、横方向スリットｓ２により連結することにより、弾性片ｃ４が形成されている。また、弾性片ｃ４の内壁面（折り畳みコンテナー本体Ｃ’が、箱型に組み立てられた際に、折り畳みコンテナー本体Ｃ’内に位置する面）ｃ４ａには、中仕切り部材載置突部ｃ５が突設されている。中仕切り部材載置突部ｃ５は、弾性片ｃ４の内壁面ｃ４ａから水平方向に延在する上部水平部ｃ５ａと、上部水平部ｃ５ａの先端から、下方に、弾性片ｃ４の内壁面ｃ４ａ方向に延在し、弾性片ｃ４の内壁面ｃ４ａに連接された下部傾斜部ｃ５ｂとを有している。また、上部水平部ｃ５ａと下部傾斜部ｃ５ｂとにより形成される相対する面には、側壁部ｃ５ｃが形成されている。中仕切り部材載置突部ｃ５は、長側壁ｃ２の内壁面（折り畳みコンテナー本体Ｃ’を、箱型に組み立てた際に、折り畳みコンテナー本体Ｃ’の内側に位置する面）ｃ２ａから突出するように構成されている。なお、本実施例には、各長側壁ｃ２に、それぞれ、２個の弾性片ｃ４が形成されているとともに、弾性片ｃ４が、長側壁ｃ２の水平方向の両端部付近に形成されている例が示されている。
【００１８】
更に、図１及び図３に示されているように、相対する長側壁ｃ２の中程には、長側壁ｃ２の内壁面ｃ２ａから突出された中仕切り部材上動防止突部ｃ６が形成されている。中仕切り部材上動防止突部ｃ６は、長側壁ｃ２の内壁面ｃ２ａから水平方向に延在する水平部ｃ６ａと、該水平部ｃ６ａの相対する側端から、上方に、長側壁ｃ２の内壁面ｃ２ａ方向に延在し、長側壁ｃ２の内壁面ｃ２ａに連接された相対する傾斜側部ｃ６ｂとを有している。本実施例においては、中仕切り部材上動防止突部ｃ６が、１個、形成されている例が示されているが、複数個、形成することもできる。この場合には、複数の中仕切り部材上動防止突部ｃ６は、水平線状の同一位置に形成されることになる。また、中仕切り部材上動防止突部ｃ６の水平部ｃ６ａの下面ｃ６ａ’は、長側壁ｃ２に形成された弾性片ｃ４に突設された中仕切り部材載置突部ｃ５の上部水平部ｃ５ａの上面ｃ５ａ’より上方に位置するように構成されているとともに、図４に示されているように、短側壁ｃ３側から見た場合に、中仕切り部材上動防止突部ｃ６の水平部ｃ６ａの下面ｃ６ａ’と中仕切り部材載置突部ｃ５の上部水平部ｃ５ａの上面ｃ５ａ’との間には、後述する中仕切り部材Ｐ１が、挿入可能な間隙Ｈ１が形成されている。
【００１９】
次に、図５を用いて、中仕切り部材Ｐ１について説明する。
【００２０】
中仕切り部材Ｐ１は、額縁状の周枠ｐ１を有しており、額縁状の周枠ｐ１は、相対する長辺部ｐ１ａと相対する短辺部ｐ１ｂとを有している。また、相対する長辺部ｐ１ａは、短辺部ｐ１ｂと平行な区画短辺部ｐ２により連結されているとともに、相対する短辺部ｐ１ｂも、長辺部ｐ１ａと平行な区画長辺部ｐ３により連結されている。本実施例においては、区画短辺部ｐ２が、１本で、区画長辺部ｐ３が、２本の例が示されているが、区画短辺部ｐ２を、複数本、形成することもできるし、また、区画長辺部ｐ３も、適当数、形成することができる。
【００２１】
上述したように構成された中仕切り部材Ｐ１には、額縁状の周枠ｐ１と区画短辺部ｐ２と区画長辺部ｐ３とにより囲まれた、中仕切り部材付き折り畳みコンテナーＣに収容される物品の上部が嵌合される複数の空間部Ａ１が形成されることになる。なお、本実施例においては、全ての空間部Ａ１の面積が、同じに形成されている例が示されている。
【００２２】
次に、図６を用いて、折り畳みコンテナー本体Ｃ’への中仕切り部材Ｐ１の取り付けについて説明する。
【００２３】
中仕切り部材Ｐ１の弾勢力を利用して、中仕切り部材Ｐ１を構成する額縁状の周枠ｐ１の短辺部ｐ１ｂを湾曲変形させることにより、中仕切り部材Ｐ１を構成する額縁状の周枠ｐ１の長辺部ｐ１ａを、中仕切り部材上動防止突部ｃ６の水平部ｃ６ａの下面ｃ６ａ’と中仕切り部材載置突部ｃ５の上部水平部ｃ５ａの上面ｃ５ａ’との間に形成された間隙Ｈ１に挿入する。このようにして、図６に示されているように、中仕切り部材Ｐ１を、箱型に組み立てられた状態の折り畳みコンテナーＣに配設する。
【００２４】
なお、Ｄは、中仕切り部材付き折り畳みコンテナーＣの底部ｃ１に載置される、発泡樹脂等で成形された下部仕切り板であり、下部仕切り板Ｄには、上述した空間部Ａ１に対応して、物品の下端部が嵌合される凹部ｄ１が形成されている。従って、物品の中程は、中仕切り部材Ｐ１により保持され、また、物品の下端部は、下部仕切り板Ｄにより保持されるので、箱型に組み立てられた折り畳みコンテナーＣの移送中や搬送中や運搬中等に、物品が移動するようなことを確実に防止することができる。
【００２５】
箱型に組み立てられた状態の折り畳みコンテナー本体Ｃ’に、中仕切り部材Ｐ１が配設された後、物品を、中仕切り部材Ｐ１に形成されている空間部Ａ１に嵌合するとともに、物品の下端部を、下部仕切り板Ｄに形成された凹部ｄ１を嵌合する。このように構成することにより、物品の中程は、中仕切り部材Ｐ１により保持され、また、物品の下端部は、下部仕切り板Ｄにより保持されるので、箱型に組み立てられた折り畳みコンテナーＣの移送中や搬送中や運搬中等に、物品が移動するようなことを確実に防止することができる。
【００２６】
物品が収容されていない箱型に組み立てられた状態の中仕切り部材付き折り畳みコンテナーＣを折り畳む際には、先ず最初に、図７に示されているように、長側壁ｃ２に形成された弾性片ｃ４を、外側に弾性変形させて、弾性片ｃ４に形成された中仕切り部材載置突部ｃ５を、中仕切り部材Ｐ１の下面から排出させることにより、中仕切り部材載置突部ｃ５の上部水平部ｃ５ａの上面ｃ５ａ’に載置されている中仕切り部材Ｐ１を、底部ｃ１方向に下降させる。図８に示されているように、中仕切り部材Ｐ１が、底部ｃ１に載置された下部仕切り板Ｄに載置された後、公知のように、短側壁ｃ３を、底部ｃ１方向に倒し、次いで、長側壁ｃ２を、先に倒された短側壁ｃ３に重なるように倒すことにより、中仕切り部材付き折り畳みコンテナーＣを、折り畳むように構成されている。このように、中仕切り部材付き折り畳みコンテナーＣが折り畳まれた状態においては、中仕切り部材Ｐ１は、底部ｃ１と短側壁ｃ３との間に位置することになる。
【００２７】
また、折り畳まれた状態の中仕切り部材付き折り畳みコンテナーＣを、箱型に組み立てるには、公知のように、先ず最初に、長側壁ｃ２を略垂直に立て、次いで、短側壁ｃ３を垂直に立てる。その後、中仕切り部材Ｐ１を上方に持ち上げると、先ず最初に、中仕切り部材Ｐ１の額縁状の周枠ｐ１を構成する相対する長辺部ｐ１ａが、長側壁ｃ２に形成された弾性片ｃ４の中仕切り部材載置突部ｃ５の下部傾斜部ｃ５ｂに当接し、弾性片ｃ４を外側に弾性変形させ、中仕切り部材Ｐ１が、弾性片ｃ４に突設された中仕切り部材載置突部ｃ５を越えた時点で、弾性片ｃ４が、その弾性復帰力により、元の位置に戻り、中仕切り部材Ｐ１が、弾性片ｃ４に突設された中仕切り部材載置突部ｃ５の中仕切り部材載置突部ｃ５の上部水平部ｃ５ａに載置されるとともに、中仕切り部材Ｐ１が、長側壁ｃ２に形成された弾性片ｃ４に突設された中仕切り部材載置突部ｃ５の上部水平部ｃ５ａと、長側壁ｃ２に形成された中仕切り部材上動防止突部ｃ６の水平部ｃ６ａとの間に挿入されることになる。従って、中仕切り部材Ｐ１が底部ｃ１付近に位置する状態から、長側壁ｃ２に形成された弾性片ｃ４や中仕切り部材載置突部ｃ５を、何ら操作することなく、中仕切り部材Ｐ１を、単に、上方に持ち上げるだけで、中仕切り部材Ｐ１を、中仕切り部材付き折り畳みコンテナーＣに配設することができ、従って、中仕切り部材Ｐ１の配設作業の作業性が向上する。
【００２８】
上述したように、中仕切り部材付き折り畳みコンテナーＣが、箱型に組み立てられた状態においては、中仕切り部材Ｐ１が、長側壁ｃ２に形成された弾性片ｃ４に突設された中仕切り部材載置突部ｃ５の上部水平部ｃ５ａと、長側壁ｃ２に形成された中仕切り部材上動防止突部ｃ６の下部水平部ｃ６ａとの間に形成された間隙Ｈ１に挿入されているので、中仕切り部材Ｐ１が、底部ｃ１方向に下降することを防止できるとともに、中仕切り部材Ｐ１が、上方に移動するようなことを防止することができる。
【００２９】
上述したように、中仕切り部材付き折り畳みコンテナーＣの長側壁ｃ２に、中仕切り部材載置突部ｃ５が突設された弾性片ｃ４を形成したので、中仕切り部材付き折り畳みコンテナーＣを折り畳む際には、箱型に組み立てられた中仕切り部材付き折り畳みコンテナーＣの中程に位置する中仕切り部材Ｐ１が載置されている長側壁ｃ２に形成された弾性片ｃ４を、外側に弾性変形させることにより、迅速に、且つ、確実に、弾性片ｃ４に形成された中仕切り部材載置突部ｃ５を、中仕切り部材Ｐ１の下面から排出させて、中仕切り部材Ｐ１を、底部ｃ１方向に下降させることができるので、中仕切り部材付き折り畳みコンテナーＣの折り畳み作業性が向上する。
【００３０】
また、長側壁ｃ２には、中仕切り部材上動防止突部ｃ６が形成されているので、箱型に組み立てられた状態において、中仕切り部材Ｐ１が上動しようとしても、中仕切り部材Ｐ１の上面が、中仕切り部材上動防止突部ｃ６の水平部ｃ６ａの下面ｃ６ａ’に当接し、中仕切り部材Ｐ１の上動を、確実に阻止することができる。
【００３１】
更に、中仕切り部材上動防止突部ｃ６には、相対する傾斜側部ｃ６ｂが形成されているので、中仕切り部材Ｐ１の箱型に組み立てられた状態の折り畳みコンテナー本体Ｃ’への配設作業において、中仕切り部材Ｐ１を、箱型に組み立てられた折り畳みコンテナー本体Ｃ’の開口から挿入した際に、中仕切り部材Ｐ１が、中仕切り部材上動防止突部ｃ６の相対する傾斜側部ｃ６ｂに案内されるので、円滑に、中仕切り部材Ｐ１を、箱型に組み立てられた状態の折り畳みコンテナー本体Ｃ’に配設することができ、中仕切り部材Ｐ１の箱型に組み立てられた折り畳みコンテナー本体Ｃ’への配設作業の作業性が向上する。
【００３２】
次に、図９〜図１４を用いて、本発明の別の実施例について説明する。
【００３３】
本実施例においては、弾性片ｃ４に突設された中仕切り部材載置突部ｃ５の上方に位置する弾性片ｃ４に、更に、中仕切り部材Ｐ１の上動を阻止する中仕切り部材上動防止突部ｃ７を突設したものである。
【００３４】
中仕切り部材上動防止突部ｃ７は、弾性片ｃ４の上端部から水平方向に、且つ、弾性片ｃ４の内壁面ｃ４ａに垂直に延在する水平部ｃ７ａと、水平部ｃ７ａの両端から下方に延在する、相対する垂直部ｃ７ｂとを有しており、垂直部ｃ７ｂの下端ｃ７ａ’と、中仕切り部材載置突部ｃ５の上部水平部ｃ５ａの上面ｃ５ａ’との間には、中仕切り部材Ｐ１が、挿入可能な間隙Ｈ２が形成されている。また、中仕切り部材上動防止突部ｃ７を構成する水平部ｃ７ａと、相対する垂直部ｃ７ｂのうち、折り畳みコンテナー本体Ｃ’が箱型に組み立てられた状態において  短側壁ｃ３側に位置する垂直部ｃ７ｂとにより形成される角部には、水平部ｃ７ａと短側壁ｃ３側に位置する垂直部ｃ７ｂに跨がる傾斜面ｃ８が形成されている。
【００３５】
この実施例においては、長側壁ｃ２に突設された中仕切り部材上動防止突部ｃ６に代えて、弾性片ｃ４に、中仕切り部材上動防止突部ｃ７を形成したものであり、この実施例においても、物品が収容されていない状態の箱型に組み立てられた状態において、弾性片ｃ４を、外側に弾性変形することにより、中仕切り部材Ｐ１を、底部ｃ１方向に下降させることができる。また、上述した実施例と同様に、中仕切り部材付き折り畳みコンテナーＣが、箱型に組み立てられた状態において、底部ｃ１付近に位置する中仕切り部材Ｐ１を上方に持ち上げると、中仕切り部材Ｐ１の額縁状の周枠ｐ１を構成する相対する長辺部ｐ１ａが、長側壁ｃ２に形成された弾性片ｃ４の中仕切り部材載置突部ｃ５の下部傾斜部ｃ５ｂに当接し、弾性片ｃ４を外側に弾性変形させ、中仕切り部材Ｐ１が、弾性片ｃ４に突設された中仕切り部材載置突部ｃ５を越えた時点で、弾性片ｃ４が、その弾性復帰力により、元の位置に戻り、図１１に示されているように、中仕切り部材Ｐ１が、長側壁ｃ２に形成された弾性片ｃ４に突設された中仕切り部材載置突部ｃ５と同じく弾性片ｃ４に突設された中仕切り部材上動防止突部ｃ７との間に挿入されることになる。
【００３６】
また、中仕切り部材Ｐ１を下降させて、中仕切り部材Ｐ１を、底部ｃ１付近に位置させ、その後、短側壁ｃ３を、底部ｃ１方向に倒す作業において、中仕切り部材上動防止突部ｃ７を構成する水平部ｃ７ａと、相対する垂直部ｃ７ｂのうち、中仕切り部材付き折り畳みコンテナーＣが箱型に組み立てられた状態において  短側壁ｃ３側に位置する垂直部ｃ７ｂとにより形成される角部に形成されている傾斜面ｃ８に、短側壁ｃ３が当接し、長側壁ｃ２に形成された弾性片ｃ４を外側に湾曲変形することができるので、中仕切り部材付き折り畳みコンテナーＣの折り畳み作業の際に、作業者が、長側壁ｃ２に形成された弾性片ｃ４を操作することなく、短側壁ｃ３を、底部ｃ方向に倒すだけで、箱型に組み立てられた中仕切り部材付き折り畳みコンテナーＣを折り畳むことができ、従って、中仕切り部材付き折り畳みコンテナーＣの折り畳み作業の作業性が向上する。
【００３７】
更に．上述した中仕切り部材Ｐ１と異なり、この実施例の中仕切り部材Ｐ２には、図１２に示されているように、上述した中仕切り部材Ｐ１の額縁状の周枠ｐ１を構成する相対する長辺部ｐ１ａの両端部付近に、長辺部ｐ１ａから、水平方向に外側に延在する挿入突片ｐ４が突設されている。挿入突片ｐ４が突設されている以外は、中仕切り部材Ｐ２は、上述した中仕切り部材Ｐ１と同じである。
【００３８】
図１３及び図１４に示されているように、長側壁ｃ２の両端部付近の内壁面ｃ２ａには、垂直方向に延在する長側壁側凹部ｃ９が形成されており、また、底部ｃ１の長側壁側土手部ｃ１ａには、上記長側壁側凹部ｃ９に連接された、垂直方向に延在する底部側凹部ｃ１０が形成されており、中仕切り部材付き折り畳みコンテナーＣが、箱型に組み立てられた際には、長側壁側凹部ｃ９と底部側凹部ｃ１０とにより形成される縦長の案内垂直凹部Ｖ１に、中仕切り部材Ｐ２を構成する額縁状の周枠ｐ１の相対する長辺部ｐ１ａに形成された挿入突片ｐ４が挿入されるように構成されている。
【００３９】
上述したように、中仕切り部材Ｐ２を構成する額縁状の周枠ｐ１の相対する長辺部ｐ１ａに形成された挿入突片ｐ４が、箱型に組み立てられた状態の中仕切り部材付き折り畳みコンテナーＣの長側壁ｃ２の内壁面ｃ２ａに形成された長側壁側凹部ｃ９と底部ｃ１の長側壁側土手部ｃ１ａに形成された底部側凹部ｃ１０により形成された縦長な案内垂直凹部Ｖ１に沿って、上下動することができるので、安定した状態で、中仕切り部材Ｐ２を、上下動することができる。
【００４０】
また、中仕切り部材付き折り畳みコンテナーＣが、箱型に組み立てられた状態において、中仕切り部材Ｐ２が上動した際には、中仕切り部材Ｐ２の挿入突片ｐ４が、長側壁ｃ２の内壁面ｃ２ａに形成された長側壁側凹部ｃ９の天部ｃ９ａに当接するように構成されているので、中仕切り部材Ｐ２が、中仕切り部材付き折り畳みコンテナーＣから排出されるようなことを防止することができる。
【００４１】
この実施例においても、箱型に組み立てられた中仕切り部材付き折り畳みコンテナーＣに、中仕切り部材Ｐ２を配設するには、長側壁ｃ２に形成された弾性片ｃ４を外側に弾性変形させて、中仕切り部材Ｐ２を、弾性片ｃ４に形成された中仕切り部材載置突部ｃ５と中仕切り部材上動防止突部ｃ７との間に挿入することにより、折り畳みコンテナー本体Ｃ’に、中仕切り部材Ｐ２を配設することができる。
【００４２】
また、箱型に組み立てられた中仕切り部材付き折り畳みコンテナーＣを、折り畳む際には、上述した実施例と同様に、先ず最初に、長側壁ｃ２に形成された弾性片ｃ４を、外側に弾性変形させて、弾性片ｃ４に形成された中仕切り部材載置突部ｃ５を、中仕切り部材Ｐ２の下面から排出させることにより、中仕切り部材載置突部ｃ５の上部水平部ｃ５ａに載置されていた中仕切り部材Ｐ２が、底部ｃ１方向に下降することになる。中仕切り部材Ｐ２が、底部ｃ１に載置された下部仕切り板Ｄに載置された後、短側壁ｃ３を、底部ｃ１方向に倒し、次いで、長側壁ｃ２を、先に倒された短側壁ｃ３に重なるように倒すことにより、中仕切り部材付き折り畳みコンテナーＣを、折り畳むように構成されている。このように、中仕切り部材付き折り畳みコンテナーＣが折り畳まれた状態においては、中仕切り部材Ｐ２は、底部ｃ１と短側壁ｃ３との間に位置することになる。この際、中仕切り部材Ｐ２に形成された挿入突片ｐ４が、長側壁ｃ２の内壁面ｃ２ａに形成された長側壁側凹部ｃ９と底部ｃ１の長側壁側土手部ｃ１ａに形成された底部側凹部ｃ１０により形成された縦長な案内垂直凹部Ｖ１に沿って、下動することになるので、安定した状態で、中仕切り部材Ｐ２が下動することになり、折り畳みコンテナーＣを、円滑に折り畳むことができ、中仕切り部材付き折り畳みコンテナーＣの折り畳み作業の作業性が向上する。
【符号の説明】
【００４３】
Ｃ・・・・・・・・・・・中仕切り部材付き折り畳みコンテナー
Ｃ’・・・・・・・・・・折り畳みコンテナー本体
ｃ１・・・・・・・・・・底部
ｃ２・・・・・・・・・・長側壁
ｃ３・・・・・・・・・・短側壁
Ｐ１、Ｐ２  ・・・・・・中仕切り部材
ｃ４・・・・・・・・・・弾性片
ｃ５・・・・・・・・・・中仕切り部材載置突部
ｃ６、ｃ７・・・・・・・中仕切り部材上動防止突部
【図１】
2011121589.tif 000003
【図２】
2011121589.tif 000004
【図３】
2011121589.tif 000005
【図４】
2011121589.tif 000006
【図５】
2011121589.tif 000007
【図６】
2011121589.tif 000008
【図７】
2011121589.tif 000009
【図８】
2011121589.tif 000010
【図９】
2011121589.tif 000011
【図１０】
2011121589.tif 000012
【図１１】
2011121589.tif 000013
【図１２】
2011121589.tif 000014
【図１３】
2011121589.tif 000015
【図１４】
2011121589.tif 000016